(57)【要約】【課題】従来に比して一段と工期を短縮することができる建築物の施工方法を提案する。【解決手段】壁式鉄筋コンクリート構造による建築物１の施工方法において、コンクリートの打設により建築物１の複数階の壁３を作成する壁作成工程ＳＰ３、ＳＰ４と、壁作成工程に続いて、コンクリートの打設により、２以上の階層に床４を連続して作成する床作成工程ＳＰ５、ＳＰ６とを備える。壁作成工程は、２階層単位でコンクリートを打設して壁を作成してもよい。【選択図】図６
2020125633.tif 000002
【特許請求の範囲】
【請求項１】
壁式鉄筋コンクリート構造による建築物の施工方法において、
コンクリートの打設により前記建築物の複数階の壁を作成する壁作成工程と、
前記壁作成工程に続いて、コンクリートの打設により、２以上の階層に床を連続して作成する床作成工程とを備える
建築物の施工方法。
【請求項２】
前記壁作成工程は、
２階層単位でコンクリートを打設して前記壁を作成する
請求項１に記載の建築物の施工方法。
【請求項３】
前記床作成工程は、
前記２以上の階層に床を作成する際に、併せて前記２以上の階層までの階段の踊り場をコンクリートの打設により作成する
請求項１又は請求項２に記載の建築物の施工方法。
【発明の詳細な説明】
【技術分野】
【０００１】
本発明は、建築物の施工方法に関し、特に壁式鉄筋コンクリート構造の施工方法に関する。
【背景技術】
【０００２】
従来、壁式鉄筋コンクリート構造による建築物の建設現場では、下位階層から順次コンクリートを打設して建設している。すなわちこの種の建設現場では、基礎を作成した後、配筋、型枠作成、打設の作業を実行して１階の壁及び２階の床を作成する。また一定の養生期間を経た後、同様の配筋、型枠作成、打設の作業を実行して２階の壁及び３階の床を作成する。さらにこれらの工程を繰り返して、順次、上位階の壁及び床を作成し、最後に最上階の壁及び屋上を作成し、これらにより多層階の建築物を作成する。
【０００３】
このような建築物に関して、従来、工期を短縮する種々の工夫が提案されている（例えば特許文献１）。
【先行技術文献】
【特許文献】
【０００４】
【特許文献１】特開２０１８−１９３８２０号公報
【発明の概要】
【発明が解決しようとする課題】
【０００５】
ところでこの種の建築物の施工においては、さらに一段と工期を短縮することが望まれる。
【０００６】
本発明はこのような状況に鑑みてなされたものであり、従来に比して一段と工期を短縮することができる建築物の施工方法を提案することを目的とする。
【課題を解決するための手段】
【０００７】
本発明者は、上記課題を解決するために鋭意研究を重ね、複数階の床を纏めて打設する、との着想に至り、本発明を完成するに至った。
【０００８】
具体的には、本発明では、以下のようなものを提供する。
【０００９】
請求項１の発明においては、
壁式鉄筋コンクリート構造による建築物の施工方法において、
コンクリートの打設により前記建築物の複数階の壁を作成する壁作成工程と、
前記壁作成工程に続いて、コンクリートの打設により、２以上の階層に床を連続して作成する床作成工程とを備える。
【００１０】
請求項１の構成によれば、複数階の壁を作成した後、コンクリートの打設により２以上の階層に床を作成することにより、複数階の床を纏めて打設することができ、これにより工期を短縮することができる。
【００１１】
請求項２の発明は、請求項１の構成において、
前記壁作成工程は、
２階層単位でコンクリートを打設して前記壁を作成する。
【００１２】
請求項２の構成によれば、型枠に過大な強度を確保することなく、複数階の壁を作成した後、複数階の床を纏めて打設することができ、これにより工期を短縮することができる。
【００１３】
請求項３の発明は、請求項１又は請求項２の構成において、
前記床作成工程は、
前記２以上の階層に床を作成する際に、併せて前記２以上の階層までの階段の踊り場をコンクリートの打設により作成する。
【００１４】
請求項３の構成によれば、床を作成した階については、階段を利用可能とすることができることにより、後工程における資材、工具の搬入等を簡略化することができ、一段と工期を短縮することができる。
【発明の効果】
【００１５】
本発明によれば、従来に比して一段と工期を短縮することができる。
【図面の簡単な説明】
【００１６】
【図１】本発明の第１実施形態に係る建築物を示す斜視図である。
【図２】図１の建築物の断面図である。
【図３】図１の建築物の床の説明に供する平面図である。
【図４】図１の建築物の受材の説明に供する断面図である。
【図５】図１の建築物の階段の断面図である。
【図６】図１の建築物の施工工程を示すフローチャートである。
【発明を実施するための形態】
【００１７】
〔第１実施形態〕
図１は、本発明の第１実施形態に係る建築物を示す斜視図である。
この建築物１は、壁式鉄筋コンクリート構造による建築物であり、符号１Ｆ〜５Ｆにより示すように５階建てにより形成される。
【００１８】
図２は、垂直方向に延長する断面により切り取って断面を示すこの建築物１の断面図である。
建築物１は、鉄筋コンクリートにより基礎２、壁３が形成され、さらにコンクリートの打設により各階の床４が形成される。また建築物１は、踊り場５が、同様のコンクリートの打設により形成され、この踊り場５間を鉄製の階段本体６により接続して階段Ｋが形成される。
【００１９】
図３は、この鉄筋コンクリートによる基礎２、壁３、床４、踊り場５の説明に供する図であり、建築物１の１階分の構成を示す平面図である。
この建築物１は、階段の部分を除く部位が１戸の居住空間に割り当てられ、この居住空間を囲むように鉄筋コンクリートによる壁３が設けられる。なおこれにより建築物１では、１つの階層に１つの居住空間が設けられるものの、これに限らず１つの階層に複数の居住空間を設ける場合、１つの居住空間を設けた階層と複数の居住空間を設けた階層とを混在させる場合にも広く適用することができる。また１つの階層に複数の居住空間を設ける場合には、各居住空間をそれぞれ囲むように鉄筋コンクリートによる壁３を設けるようにしてもよく、複数の居住空間の一部又は全部を囲むように鉄筋コンクリートによる壁３を設けるようにしてもよい。
また建築物１は、階段Ｋを囲むように鉄筋コンクリートによる壁３が設けられる。
【００２０】
建築物１は、床４、踊り場５が、壁３に支持されて作成される。
すなわち建築物１は、壁３の内側に、壁３に沿って延長する受材１１が設けられる。これにより居住空間にあっては、床４の外周に沿って延長して居住空間（床４）を囲むように、受材１１が配置される。また階段Ｋでは、踊り場５を壁３側からコの字形状により囲むように受材１１が配置される。
建築物１は、この受材１１に、金属によるプレート１２が配置され、このプレート１２の上にコンクリートを打設して床４が形成される。建築物１は、この床４に、その後、フローリング用の板材等が配置されて床面が形成され、さらに反対側に化粧パネルが配置されて下位階の天井が形成される。また壁３には、同様に、化粧パネル等が配置されて壁面が形成される。
【００２１】
より具体的に、図２において符号Ａにより示す部位を部分的に拡大して図４に居住空間側の断面を示すように、建築物１は、壁３より突出するように、壁３にアンカーボルト２１が設けられ、このアンカーボルト２１により受材１１が壁３に固定される。
アンカーボルト２１は、壁３の配筋作業で配置された後、壁３の打設により壁３に埋め込まれて配置されるものの、壁３を打設した後に、別途設けるようにしても良い。
アンカーボルト２１は、壁３に埋め込まれた箇所が途中で下方に折れ曲がって、壁３に沿って延長するように形成され、これにより壁３より突出する部位への加重に対して充分な耐力を確保できるように形成される。なおこれにより充分な耐力を確保できる場合には、種々の構成を広く適用することができる。
またアンカーボルト２１は、一定の間隔により配置され、これにより受材１１による加重に対して充分な耐力を確保できるように形成される。
【００２２】
受材１１は、棒状に延長して、プレート１２を保持可能に、プレート１２を配置する側である上方が、壁３より離間する方向に延出する形状により形成される。また受材１１は、アンカーボルト２１により壁３に配置可能に形成される。
この実施形態において、受材１１は、断面、コの字形状により形成され、このコの字形状による底面に設けられた貫通穴によりアンカーボルト２１にねじ止めして保持される。
なおこれにより受材１１は、断面Ｌの字形状により形成してもよく、さらには断面矩形形状等、プレート１２を保持可能であって、アンカーボルト２１により壁３に配置可能な種々の形状を広く適用することができる。
【００２３】
プレート１２は、金属板材を曲げ加工して形成され、コンクリート１３を打設するための枠体として機能し、さらにはこのコンクリート１３と共に床４の強度を確保するために設けられる。プレート１２は、この図４に示す断面と直交する方向に延長する形状により形成され、断面台形形状による凸条１２Ａが一定のピッチにより設けられ、これにより充分な強度を確保できるように形成される。プレート１２は、受材１１に溶接により配置されるものの、配置方法にあっては種々の手法を適用することができる。またプレート１２は、図４に示す断面方向に隙間なく配置され、この実施形態では、隣接するプレート１２と端部が重なり合うようにして配置されて、隙間なく配置される。またプレート１２は、長手方向にあっては、対向する受材１１に掛け渡されて配置される。
なおプレート１２は、この繰り返しの配置方向の長さが長くなると、一定のスパンＬで、Ｈ鋼による受け梁２７が設けられる。
【００２４】
コンクリート１３は、このプレート１２と壁３とを型枠として使用して打設される。
これにより建築物１は、床４に係る型枠を設けることなく、床４に係るコンクリートを打設して工程を簡略化し、工期を短縮できるように構成される。
具体的に、建築物１は、居住空間の床面積が約３０ｍ２により形成され、種々に検討した結果、この程度の床面積においては、プレート１２を使用してコンクリートの打設により床４を形成しても、充分な強度を確保できることが分かった。
またこの程度の床面積においては、パイプサポートを設けることなく、コンクリート１３を打設することができ、これにより一段と工程を簡略化して工期を短縮することができる。
なおこれらにより、受材１１により囲まれた箇所の面積（この実施形態では、１階の床面積である）が、１０ｍ２以上４５ｍ２以下となるように、好ましくは１５ｍ２以上４０ｍ２以下となるように、より好ましくは２０ｍ２以上３５ｍ２以下となるように、壁３、受材１１を配置して、床４に係るパイプサポートを省略して工期を短縮することができる。
【００２５】
建築物１は、受材１１を覆うように、耐火被覆２４が形成され、さらに壁３及び床４には化粧パネル２３、２５が設けられ、さらに天井用の化粧パネル２６が設けられる。
【００２６】
図５に階段Ｋを示すように、踊り場５は、床４と同様に、壁３にアンカーボルト２１が設けられ、このアンカーボルト２１によるねじ止めにより受材１１が壁３に固定される。またこの受材１１にプレート１２が溶接により配置され、このプレート１２の先端（対応する踊り場５側の部位である）には、受材１１の側に、Ｈ鋼による受け梁３１が溶接により設けられる。建築物１は、対向する踊り場５の受け梁３１に、階段本体６が掛け渡されて配置され、受け梁３１への溶接又はボルト接合により階段本体６が固定される。
建築物１は、壁３、プレート１２、階段本体６の踊り場５側の端面を型枠としてコンクリート１３が打設されることにより踊り場５が形成される。
これにより型枠の作成工程を省略した簡易な工程により踊り場５が形成され、工期の短縮が図られる。
【００２７】
図６は、この建築物１の施工工程を示すフローチャートである。
この施工工程は、基礎、１階の床作成工程ＳＰ２において、配筋した後、型枠を作成してコンクリートを打設することにより基礎２、１階の床を作成する。また続いて１階〜２階の壁作成工程ＳＰ３において、配筋した後、型枠を作成すると共にアンカーボルト２１を配置してコンクリートを打設することにより、１階から２階までの複数階の壁３を作成する。
またその後、３階〜４階の壁作成工程ＳＰ４において、配筋した後、型枠を作成すると共にアンカーボルト２１を配置してコンクリートを打設することにより、３階〜４階までの複数階の壁３を作成する。またこの３階〜４階の壁作成工程ＳＰ４と平行して、又は適宜、工程を入れ替えて２階の床作成工程ＳＰ４を実行し、アンカーボルト２１を使用してプレート１２を配置した後、パイプサポートを設けることなく、コンクリートを打設して２階の床４を作成する。またこの３階〜４階の壁作成工程、２階の床作成工程と平行して、又は適宜、工程を入れ替えて１階〜２階の階段作成工程ＳＰ４を実行して、アンカーボルト２１を使用してプレート１２を配置した後、階段本体６を配置してコンクリートを打設し、これにより踊り場５を作成して２階までの階段Ｋを作成する。
【００２８】
また続いて、５階の壁作成工程ＳＰ５において、配筋した後、型枠を作成すると共にアンカーボルト２１を配置してコンクリートを打設することにより、５階の壁３を作成する。またこの５階の壁作成工程ＳＰ５と平行して、又は適宜、工程を入れ替えて３階〜４階の床作成工程ＳＰ５を実行し、アンカーボルト２１を使用してプレート１２を配置した後、パイプサポートを設けることなく、コンクリートを打設して３階及び４階の床４を作成する。またこの５階の壁作成工程、３階〜４階の床作成工程と平行して、又は適宜、工程を入れ替えて２階〜４階の階段作成工程ＳＰ５を実行して、アンカーボルト２１を使用してプレート１２を配置した後、階段本体６を配置してコンクリートを打設し、これにより踊り場５を作成して４階までの階段Ｋを作成する。
【００２９】
また続いて５階〜Ｒ階の床作成工程ＳＰ６を実行し、アンカーボルト２１を使用してプレート１２を配置した後、パイプサポートを設けることなく、コンクリートを打設して５階及び屋上の床４を作成する。またこの工程と平行して、又は適宜、工程を入れ替えて４階〜Ｒ階の階段作成工程ＳＰ６を実行して、アンカーボルト２１を使用してプレート１２を配置した後、階段本体６を配置してコンクリートを打設し、これにより踊り場５を作成して屋上までの階段Ｋを作成する。
【００３０】
これらによりこの施工工程は、複数階の壁３を２階層単位で纏めて作成する。
ここで複数階の壁を纏めて打設する場合、型枠に充分な強度を確保することが必要になるものの、実際上、この実施形態のように、２階層単位で纏めて作成する場合にあっては、型枠に過大な強度を確保することなく、複数階の壁を作成することができる。
なおこれにより全階の壁を纏めて打設するようにしてもよく、全階の一部階層で複数階の壁を纏めて打設するようにしてもよい。
【００３１】
またこれによりこの施工工程では、先行して複数階の壁を作成した後、コンクリートの打設により２以上の階層に連続して床を作成することにより、パイプサポートを設けることなくコンクリートを打設可能との特徴を有効に利用して、複数階の床を纏めて打設することができ、これにより従来に比して工期を短縮することができる。
すなわちこの場合、この纏めて作成する複数階については、下層側床４のコンクリートの養生を待つことなく、上層側の床４を作成できることにより、工期を短縮することができる。また複数階の床にコンクリートを纏めて打設することができることにより、これによっても工期を短縮することができ、さらには工程管理を簡略化することができる。またパイプサポートの設置、撤去に係る作業を省略できることによっても、工期を短縮することができる。
なおこの連続した床４の作成にあっては、同日にコンクリートを打設して作成してもよく、例えば２日に渡って作成するようにしても良い。
【００３２】
またこのように複数階の床を纏めて作成する際に、併せて床４を作成する階までの踊り場５を作成することにより、床４を作成した階については、階段Ｋを利用可能とすることができ、これにより後工程における資材、工具の搬入等を簡略化することができ、一段と工期を短縮することができる。また踊り場５の作成に係る工程管理を簡略化し、さらには、別途、踊り場を作成する必要が無いことにより、これによっても工程を簡略化することができる。
【００３３】
この施工工程は、続く内装工程ＳＰ７において、各階層の内装等、屋上の防水処理等を実行してこの工程を終了する。なお内装工程においては、着手可能な作業を、床、階段作成工程ＳＰ５、ＳＰ６と平行して実行するようにしてもよい。
【００３４】
以上の構成によれば、複数階の壁を作成した後、コンクリートの打設により、２以上の階層に床を連続して作成することにより、複数階の床を纏めて打設することができ、これにより工期を短縮することができる。
【００３５】
また２階層毎にコンクリートの打設により纏めて壁を作成することにより、型枠に過大な強度を確保することなく、複数階の壁を作成した後、複数階の床を纏めて打設することができ、これにより工期を短縮することができる。
【００３６】
またさらに床作成工程において、併せて階段の踊り場をコンクリートの打設により作成することにより、床を作成した階については、階段を利用可能とすることができ、後工程における資材、工具の搬入等を簡略化することができ、一段と工期を短縮することができる。
【００３７】
〔他の実施形態〕
以上、本発明の実施に好適な具体的な構成を詳述したが、本発明は、本発明の趣旨を逸脱しない範囲で、上述の実施形態の構成を種々に変更することができる。
【００３８】
すなわち上述の実施形態では５階建ての建築物に本発明を適用する場合について述べたが、本発明はこれに限らず、５階建て以外の複数階の建築物にも広く適用することができる。
【００３９】
また上述の実施形態では、１階層に１つの居住空間を設ける場合について述べたが、本発明はこれに限らず、１階層に複数の居住空間を設ける場合にも広く適用することができ、この場合には、この複数の居住空間を階段に接続する廊下、さらにはエレベーターホールの床について、居住空間、踊り場と同様にして複数階分を居住空間の床と同時に作成することができる。
【符号の説明】
【００４０】
１  建築物
２  基礎
３  壁
４  床
５  踊り場
６  階段本体
１１  受材
１２  プレート
１３  コンクリート
２１  アンカーボルト
【図１】
2020125633.tif 000003
【図２】
2020125633.tif 000004
【図３】
2020125633.tif 000005
【図４】
2020125633.tif 000006
【図５】
2020125633.tif 000007
【図６】
2020125633.tif 000008